(57)【要約】【課題】投入された洗剤を効率よく溶かし、均一な洗剤濃度の洗浄水を噴射することにより、食器に対する洗剤残りをなくし、洗浄効率をよくした食器洗い機を実現する。【解決手段】洗浄槽１の底部の所定位置に洗剤を投入する洗剤入れ９を洗浄槽１内の前面近傍に設けることにより、洗剤を効率的に溶かし洗剤残りをなくすことができるとともに、均一な洗剤濃度の洗浄水で洗浄することを可能とした。【選択図】図１
2006061450.tif 000002
【特許請求の範囲】
【請求項１】
上方に開口部を有する洗浄槽と、この洗浄槽内に食器類を収容する食器かごと、前記洗浄槽を前後方向へ収納自在とする筐体を備え、前記洗浄槽の底部の所定位置に洗剤を投入する洗剤入れを前記洗浄槽内に設けた食器洗い機。
【請求項２】
洗剤入れは洗浄槽の前面近傍に配置した請求項１記載の食器洗い機。
【請求項３】
洗剤入れの洗剤投入部は、少なくとも食器かごの底部より高い高さ位置に位置させた請求項１または２記載の食器洗い機。
【請求項４】
洗剤入れの洗剤投入部は、上部に開口部を有する請求項１〜３のいずれか１項記載の食器洗い機。
【請求項５】
洗剤入れの洗剤投入部の開口部は、洗浄槽の奥側に広く形成した請求項４記載の食器洗い機。
【請求項６】
洗剤入れの洗剤投入部は、開口部上面の少なくとも一辺またはその一部を略凹状に形成した請求項４または５記載の食器洗い機。
【請求項７】
洗剤入れは、洗剤投入部の下側に、洗剤を洗浄槽の底部の所定位置に流し落す経路を設けた請求項１〜６のいずれか１項記載の食器洗い機。
【請求項８】
洗剤入れは、投入された洗剤を洗浄槽の所定の位置に貯める洗剤貯蔵部を有する請求項１〜７のいずれか１項記載の食器洗い機。
【請求項９】
洗剤入れの洗剤貯蔵部は、洗浄槽に溜めた洗浄水を洗剤貯蔵部内に循環させる開口部を有する請求項８記載の食器洗い機。
【請求項１０】
洗剤入れは、洗剤投入部と洗剤貯蔵部との間に格子部を有し、前記格子部の最大開口幅は前記洗剤貯蔵部に設けた開口部の最大開口幅より小さくした請求項９記載の食器洗い機。
【請求項１１】
洗剤入れは、少なくとも洗剤投入部を洗浄槽より着脱可能な構成とした請求項１〜１０のいずれか１項記載の食器洗い機。
【請求項１２】
洗剤入れは、少なくとも洗剤投入部が食器かごに保持され、食器かごと同時に洗浄槽より着脱可能とした請求項１〜１１のいずれか１項記載の食器洗い機。
【発明の詳細な説明】
【技術分野】
【０００１】
本発明は洗浄ノズルより食器に向けて洗浄水を噴射して食器を洗浄する食器洗い機に関するものである。
【背景技術】
【０００２】
従来、この種の食器洗い機は図８に示すように構成していた。以下、その構成について説明する。
【０００３】
図８に示すように、洗浄槽１は、内部に洗浄水を噴射する洗浄ノズル２を回転自在に設けるとともに、食器３を収容する食器かご４を配置している。洗浄槽１内の洗浄水はヒータ５によって温水化され、洗浄ポンプ６にて残滓フィルター７を通して排水口８から吸い込まれ、洗浄ノズル２に圧送される。洗浄ノズル２より勢いよく噴射される洗浄水によって、食器かご４に配置収容された食器３を洗浄するように構成している（例えば、特許文献１参照）。
【特許文献１】特開２００１−６１７５６号公報
【発明の開示】
【発明が解決しようとする課題】
【０００４】
しかしながら、このような従来の食器洗い機では、洗浄槽１の上方より洗剤をふりかけるようにして、洗剤を投入していたので食器かご４に収納配置した食器３に付着した洗剤が溶けずに残る恐れがあるという問題を有していた。
【０００５】
本発明は、上記従来の課題を解決するもので、投入された洗剤を効率よく溶かし均一な洗剤濃度の洗浄水を噴射することにより食器に対する洗剤残りをなくし、洗浄効率をよくした食器洗い機を提供することを目的としている。
【課題を解決するための手段】
【０００６】
本発明は上記目的を達成するために、上方に開口部を有する洗浄槽と、この洗浄槽内に食器類を収容する食器かごと、前記洗浄槽を前後方向へ収納自在とする筐体を備え、前記洗浄槽の底部の所定位置に洗剤を投入する洗剤入れを前記洗浄槽内に設けたものである。
【０００７】
これにより、投入された洗剤を効率よく溶かすことができ、均一の濃度の洗浄水による洗浄ができ、また洗剤残りもなくなり効率よく、かつ、仕上がりよく洗浄できるものである。
【発明の効果】
【０００８】
本発明の食器洗い機は、食器かごに収容する食器の洗浄性を改善し、洗浄終了後の食器に付着する洗剤残りを減少させた食器洗い機を実現することができる。
【発明を実施するための最良の形態】
【０００９】
第１の発明は、上方に開口部を有する洗浄槽と、この洗浄槽内に食器類を収容する食器かごと、前記洗浄槽を前後方向へ収納自在とする筐体を備え、前記洗浄槽の底部の所定位置に洗剤を投入する洗剤入れを前記洗浄槽内に設けたことにより、洗剤を効率的に溶かし洗剤残りをなくすことができるとともに、均一な洗剤濃度の洗浄水で洗浄することが可能となる。
【００１０】
第２の発明は、上記第１の発明において、洗剤入れは洗浄槽の前面近傍に配置したことにより、洗剤投入作業を容易にすることができる。
【００１１】
第３の発明は、上記第１または第２の発明において、洗剤入れの洗剤投入部は、少なくとも食器かごの底部より高い高さ位置に位置させたことにより、洗剤投入作業をなお一層容易にすることができる。
【００１２】
第４の発明は、上記第１〜第３の発明において、洗剤入れの洗剤投入部は、上部に開口部を有する構成としたことにより、洗剤投入作業をさらに容易にすることができる。
【００１３】
第５の発明は、上記第４の発明において、洗剤入れの洗剤投入部の開口部は、洗浄槽の奥側に広く形成したことにより、洗剤投入作業が容易になるとともに、洗浄槽内の食器収容部を広く確保できる。
【００１４】
第６の発明は、上記第４または第５の発明において、洗剤入れの洗剤投入部は、開口部上面の少なくとも一辺またはその一部を略凹状に形成したことにより、洗剤投入部の上面部分に洗剤投入用スプーンや指が触れないようにすることができるので、洗剤投入をより容易にすることができる。
【００１５】
第７の発明は、上記第１〜第６の発明において、洗剤入れは、洗剤投入部の下側に、洗剤を洗浄槽の底部の所定位置に流し落す経路を設けたことにより、洗剤投入口に投入された洗剤を確実に洗浄槽の所定位置に導くことができるので、安定した洗剤溶解を実現できる。
【００１６】
第８の発明は、上記第１〜第７の発明において、洗剤入れは、投入された洗剤を洗浄槽の所定の位置に貯める洗剤貯蔵部を有する構成としたことにより、投入された洗剤を必ず所定の位置に貯蔵することができるので、安定した洗剤溶解を実現することができる。
【００１７】
第９の発明は、上記第８の発明において、洗剤入れの洗剤貯蔵部は、洗浄槽に溜めた洗浄水を洗剤貯蔵部内に循環させる開口部を有する構成とすることにより、洗剤溶解を良好にし、また洗剤貯蔵部内の汚れを抑制することができる。
【００１８】
第１０の発明は、上記第９の発明において、洗剤入れは、洗剤投入部と洗剤貯蔵部との間に格子部を有し、前記格子部の最大開口幅は前記洗剤貯蔵部に設けた開口部の最大開口幅より小さく構成することにより、洗剤投入部と洗剤貯蔵部との間の格子を抜けて洗剤貯蔵部に入り込んだ異物を洗浄水の循環により前記洗剤貯蔵部内から排出することができる。
【００１９】
第１１の発明は、上記第１〜第１０の発明において、洗剤入れは、少なくとも洗剤投入部を洗浄槽より着脱可能な構成としたことにより、洗剤入れの洗剤投入部および洗剤貯蔵部等の清掃を容易にすることができる。
【００２０】
第１２の発明は、上記第１〜第１１の発明において、洗剤入れは、少なくとも洗剤投入部が食器かごに保持され、食器かごと同時に洗浄槽より着脱可能としたことにより、洗剤入れへの洗剤の投入および洗剤入れ各部の清掃を容易にすることができる。
【００２１】
以下、本発明の実施の形態について、図面を参照しながら説明する。なお、食器洗い機の全体構成は、図８に示した従来例と同じであり、同じ構成のものは同一符号を付して説明を省略する。また、この実施の形態によって本発明が限定されるものではない。
【００２２】
（実施の形態１）
図１は本発明の実施の形態１における食器洗い機の縦断面図、図２は同食器洗い機の洗剤入れの取付け構成を示す斜視図、図３は同食器洗い機の洗剤入れの取り外し状態を説明する説明図、図４は同食器洗い機の洗剤入れの外観斜視図である。
【００２３】
図１において、洗浄槽１は、内部に洗浄水を噴射する洗浄ノズル２を回転自在に設けるとともに、食器３を収容する食器かご４を配置している。洗浄槽１内の洗浄水はヒータ５によって温水化され、洗浄ポンプ６にて残滓フィルター７を通して排水口８から吸い込まれ、洗浄ノズル２に圧送される。洗浄ノズル２より勢いよく噴射される洗浄水によって、食器かご４に配置収容された食器３を洗浄するように構成している。
【００２４】
洗剤入れ９は洗浄槽１の前面近傍に配置し、食器かご４の底部及び近傍の食器３より高い高さ位置に位置するよう構成してあり、洗浄槽の前後位置に関係なく洗剤の投入を容易に行うことができる。
【００２５】
図２および図４に示すように、洗剤入れ９は、上部に設けた洗剤投入部９ａと、洗剤を洗浄槽１の底部の所定の位置に洗剤を流し落とす経路９ｂと、食器かご４に引っ掛けて着脱自在に取り付けるためのＬ型形状の取付け用つめ９ｅを経路９ｂの一側面に２箇所以上設けた構成である。
【００２６】
洗剤入れ９の洗剤投入部９ａは、漏斗状に形成して上部開口部を洗浄槽１の奥側に広く延出させて形成してあり、これにより洗剤の投入を容易にしている。この洗剤投入部９ａの下側には、洗剤を流し落とす経路９ｂが設けられている。そして、洗剤投入部９ａの洗浄槽１に対して前側は、その下側にある経路９ｂを延長させて同一平面上に形成してあるので、洗剤入れ９を洗浄槽１の前面に最も近く配置でき、洗浄槽１の食器収容部をより大きく確保することができる。
【００２７】
経路９ｂには、少なくとも一側面に複数の穴９ｆを設け、洗剤入れが取り付けられた状態においても、洗浄ノズル２から噴射される洗浄水により、経路９ｂに付着した洗剤を洗い流すことができる。
【００２８】
洗剤入れ９は、Ｌ型形状の取付け用つめ９ｅで食器かご４に保持されているので、食器かご４を洗浄槽１より前方に引き出せば、洗剤入れ９も同時に洗浄槽１から前方に出てくるので、洗剤入れ９への洗剤の投入および洗剤入れ９の各部の清掃を容易にすることができる。
【００２９】
なお、洗剤入れ９の食器かご４への取付け構造は、Ｌ型形状の取付け用つめを食器かごに引っ掛ける構造の他、多種の取付け構造が可能である。また、食器かご４に直接取り付けずに、洗浄槽１に取り付けた別部品に取り付ける構成も可能である。また、複数設けた取付け用つめ９ｅは、本実施の形態では経路９ｂの一側面に設けたが、洗剤投入部９ａ、あるいは洗剤投入部９ａと経路９ｂにまたがって設けてもよい。
【００３０】
つぎに、洗剤入れ９の清掃のための取り外しについて説明する。図３において、洗浄槽１を引き出した時に洗剤入れ９を取り外せる構成にしてあり、洗剤入れ９を取り外せることにより、洗剤入れ９の洗剤投入部９ａや洗剤を流し落とす経路部９ｂに溜まった洗剤やごみを容易に清掃することができる。なお、洗剤入れ９の中で洗剤投入部９ａが最も汚れやすいので、この洗剤投入部９ａの部分を洗剤入れ９から着脱可能に構成して、この洗剤投入部９ａのみを清掃できるように構成してもよい。
【００３１】
このように、洗剤入れ９を洗浄槽１の前面近傍に配置して取り付けたことにより、均一濃度の洗浄水による洗浄ができ、また洗剤残りもなくなり、効率よく洗浄することができる。また、洗剤入れ９を着脱可能な構成としたことにより、洗剤入れ９の清掃が容易にでき衛生的である。
【００３２】
（実施の形態２）
図５は本発明の実施の形態２における食器洗い機の洗剤入れの外観斜視図である。食器洗い機の基本構成および動作、ならびに洗剤入れの基本構成は実施の形態１と同じであるので、詳しい説明は省略し、実施の形態１と相違する点についてのみ説明する。
【００３３】
図５において、洗剤入れ９の洗剤投入部９ａの開口部上面の少なくとも一辺またはその一部を略凹状に凹めて凹部９ｃを構成してある。これによって、洗剤の投入時おいて、洗剤投入部９ａの上面部分に洗剤投入用スプーンや指が触れないようにすることができるので、洗剤投入をより容易にすることができる。実施の形態１で述べたように、洗剤入れ９は洗浄槽１の前面近傍に配置するのが望ましく、この関連において、この凹部９ｃは、洗浄槽１の奥側、すなわち取付け用つめ９ｅと前後方向において同じ側に設けてある。これにより、洗剤を満たした洗剤投入用スプーンを洗浄槽１の奥側から手前に回動させて洗剤を洗剤入れ９に投入する作業が効率よく行える。
【００３４】
（実施の形態３）
図６は本発明の実施の形態３における食器洗い機の洗剤入れの外観斜視図である。図６において、洗剤入れ９の最下方に、投入された洗剤を溜めておく洗剤貯蔵部９ｄを設けてある。そして、この洗剤貯蔵部９ｄの少なくとも一側面に開口部９ｇを設けて、この開口部９ｇを洗浄水が循環できるようにすることにより、洗剤の溶解速度を速め、均一な洗剤濃度の洗浄水で洗浄することができる。
【００３５】
（実施の形態４）
図７は本発明の実施の形態４における食器洗い機の洗剤入れの外観斜視図である。図７において、洗剤貯蔵部１０は洗剤入れ９とは別部材によって構成している。洗剤貯蔵部１０は洗浄槽１の底部に固定されており、洗剤貯蔵部１０は、洗剤投入部９の経路９ｂと相対する面に格子部９ｈを有し、この格子部９ｈの最大開口幅は前記洗剤貯蔵部１０に設けた開口部９ｇの最大開口幅より小さく構成してあり、洗剤貯蔵部１０内で洗浄水を循環させ、洗剤入れ９と洗剤貯蔵部１０との経路間の格子より洗剤貯蔵部１０に入り込んだ異物は洗浄水の循環により洗剤貯蔵部１０内より排出することができる。
【産業上の利用可能性】
【００３６】
以上のように、本発明にかかる食器洗い機は、洗剤を効率的に溶かし洗剤残りをなくすことができるとともに、均一な洗剤濃度の洗浄水で洗浄することが可能となるので、洗剤を有する食器洗い機等として有用である。
【図面の簡単な説明】
【００３７】
【図１】本発明の実施の形態１の食器洗い機の縦断面図
【図２】同食器洗い機の洗剤入れの取付け構成を示す斜視図
【図３】同食器洗い機の洗剤入れの取り外し状態を説明するの説明図
【図４】同食器洗い機の洗剤入れの外観斜視図
【図５】本発明の実施の形態２の食器洗い機の洗剤入れの外観斜視図
【図６】本発明の実施の形態３の食器洗い機の洗剤入れの外観斜視図
【図７】本発明の実施の形態４の食器洗い機の洗剤入れの外観斜視図
【図８】従来の食器洗い機の縦断面図
【符号の説明】
【００３８】
１  洗浄槽
２  ノズル
３  食器
４  食器かご
５  ヒータ
６  ポンプ
７  残滓フィルター
８  排水口
９  洗剤入れ
９ａ  洗剤投入部
９ｂ  経路
９ｃ  凹部
９ｄ  洗剤貯蔵部
９ｅ  取付け用つめ
９ｆ  穴
９ｇ  開口部
９ｈ  格子部
１０  洗剤貯蔵部
【図１】
2006061450.tif 000003
【図２】
2006061450.tif 000004
【図３】
2006061450.tif 000005
【図４】
2006061450.tif 000006
【図５】
2006061450.tif 000007
【図６】
2006061450.tif 000008
【図７】
2006061450.tif 000009
【図８】
2006061450.tif 000010